(57)【特許請求の範囲】
【請求項１】
三角柱状物と、前記三角柱状物の斜面に沿う斜面部及び一対の底面にそれぞれ沿う一対の底面部を有して前記三角柱状物の周囲を覆う筒状包装シートとから成り、前記三角柱状物の前記斜面と前記各底面とに連なる二つの側面のそれぞれに対応した前記筒状包装シートの各余剰部が、両側方より当該側面に沿って折り込んだガゼット部と、前記ガゼット部に接続する山折りの折り返し線を前記底面と前記側面との間の稜線に沿って置いて前記ガゼット部を覆う表面側に置かれた側面部とに成形され、前記斜面部の延長部分と前記側面部の延長部分とが前記斜面と前記側面との間の稜線に沿って互いにシールされて前記三角柱状物を密封包装したことから成る三角柱状物の包装体。
【請求項２】
前記ガゼット部は、前記両側面が互いに交差する稜線側から前記各側面が前記斜面と交差する稜線に向かう程、前記筒状包装シートの前記各余剰部を深く折り込んで形成されていることから成る請求項１に記載の三角柱状物の包装体。
【請求項３】
切込み、ノッチ等の易開封用手段が、前記斜面部の延長部分、又は矩形包装シートを丸めてセンターシールを施して前記筒状包装シートを形成するときの前記センターシールに形成されていることから成る請求項１又は２に記載の三角柱状物の包装体。
【請求項４】
前記三角柱状物は、サンドイッチ等の食品であることから成る請求項１〜３のいずれか１項に記載の三角柱状物の包装体。
【請求項５】
三角柱状物を前記三角柱状物の斜面に接する斜面部と一対の底面にそれぞれ接する底面部とを有する筒状包装シートで覆い、前記三角柱状物の前記斜面と前記各底面とに連なる二つの側面のそれぞれに対応した前記筒状包装シートの各余剰部を、両側方より当該側面に沿って折り込んだガゼット部と、前記ガゼット部に接続する山折りの折り返し線を前記底面と前記側面との間の稜線に沿って置いて前記ガゼット部を覆う表面側に置かれた側面部とに成形し、前記斜面部の延長部分と前記側面部の延長部分とを前記斜面と前記側面との間の稜線に沿って互いにシールして前記三角柱状物を密封包装することから成る三角柱状物の包装方法。
【請求項６】
前記ガゼット部を、前記両側面が互いに交差する稜線側から前記各側面が前記斜面と交差する稜線に向かう程、前記筒状包装シートの前記各余剰部を深く折り込んで形成することから成る請求項５に記載の三角柱状物の包装方法。
【請求項７】
前記側面部の延長部分、又は矩形包装シートを丸めてセンターシールを施して前記筒状包装シートを形成するときの前記センターシールに、切込み、ノッチ等の易開封用手段を形成することから成る請求項５又は６に記載の三角柱状物の包装方法。
【請求項８】
前記三角柱状物は、サンドイッチ等の食品であることから成る請求項５〜７のいずれか１項に記載の三角柱状物の包装方法。
【発明の詳細な説明】
【０００１】
【発明の属する技術分野】
この発明は、包装物としてサンドイッチ等の三角柱状物を包装シートで包装する三角柱状物の包装体及び包装方法に関する。
【０００２】
【従来の技術】
従来、サンドイッチ、パンケーキ等の三角柱状物の包装としては、種々の包装形態の包装体が提案されており、包装形態に対応して包装方法もそれぞれ提案されている。そうした包装のうち最も一般的なものとしては、予め製作した専用の袋を用いる包装であって、この方法では、サンドイッチ等の三角柱状物を個別に専用袋に挿入し、三角柱状物を挿入した袋の開口を閉じ、開口を閉鎖するフラップを粘着テープ片で止めている。
【０００３】
図７は、専用袋を用いた従来の包装形態の一例を示す斜視図である。図７に示すように、専用袋７０は、一端が楔状に先細となって封止されたシール部７１となり、他端に向かって次第に広がりつつ開口７２となった袋である。開口７２からサンドイッチのような三角柱状物７８が挿入されると、開口７２の臨む三角柱状物７８の一方の側面７９を除く４つの面が専用袋によって覆われる。開口部の周囲４辺から延びる四つのフラップのうち、先ず、三角柱状物７８の他方の側面を覆う専用袋７０の部分から延びるフラップ７３が折り込まれ、次に、三角柱状物の一対の底面を覆う専用袋７０の部分から延びる２片のフラップ７４，７５が先に折り込まれたフラップ７３の上に順次折り込まれ、更に、三角柱状物７８の斜面を覆う専用袋７０の部分から延びるフラップ７６が折り込まれ、最後に、重ね合わせたフラップが粘着テープ７７によって封止される。このように、既成の専用袋７０に三角柱状物７８を挿入し、各フラップ７３〜７６を折り畳み、粘着テープ７７によって封止することで袋包装体８０が得られていた。
【０００４】
しかしながら、専用袋７０を用いた三角柱状物７８の包装は、専用袋７０を用意する必要があってコスト高となり、専用袋７０に備わるフラップ７３〜７６を折り畳んで袋の開口７２を閉鎖し、折り畳んだフラップ７３〜７６同士を粘着テープ７７片で貼着しているだけであるので、折り畳んだフラップ７３〜７６の間に残される隙間から小さい虫等の異物が包装体８０の内部へ入り込む可能性が皆無ではなく、完全な密封包装が得られないという問題点がある。
【０００５】
そうした問題点に対する改善要請に応えるため、三角柱状物品の代表例であるサンドイッチを１枚のシートによって、密封包装することが、従来から提案されており、本出願人も、既に、包装シートによって可及的に使用包材量を少なくした三角柱状物の包装を提案している（特開平１０−２３６５２４号公報）。この方法によれば、三角柱状物の側面のうち一つの矩形面（例えば、斜面に相当する面）と三角柱状の両底面とをシート状包装材の本体部で覆い、一つの矩形面以外の側面上で、三角柱状の両底面側から折り返したシートを合わせて第２シールを形成し、三角柱状物品の側面の稜線に沿って第１シールを形成することにより、包材の使用量を可及的に少なくしつつ、外部からの異物の侵入を防止したシート包装体が得られている。
【０００６】
また、サンドイッチ包装体及びその製造方法として、筒状包装材を用い、筒状包装材をサンドイッチの周りに折り込んでサンドイッチを包装したものが提案されている（一例として、特開平６−２４４６６号公報、特開平７−２９１３４８号公報）。包装物としての三角柱状物１は、例えば、サンドイッチがその代表的な例であるが、図５の斜視図に示すように、斜面２と、一対の三角形状の底面３，４と、斜面２及び底面３，４の接続する側面５，６とを有している。斜面２と側面５，６とはそれぞれ稜線７，８で交わり、側面５，６同士は稜線９で交わっている。三角柱状物１がサンドイッチである場合、通常、具Ａを中央部分に置いた状態で挟む矩形の食パンを対角線に沿って二つに切断して形成されるので、具Ａは側面５，６には表に出ることはないが切断して形成される斜面２において表に出る。
【０００７】
図６はこのサンドイッチ包装体の製造途中を示す斜視図であり、斜面部を下面としてフィルム上に山形状に置かれたサンドイッチ１ａの周りに厚み方向にフィルム５０を筒状に巻き付け、山形状のサンドイッチ１ａの傾斜して置かれた側面５，６と対向する位置に厚み方向と交差する溶断シール線５１を形成して、フィルム５０が筒状に形成される。サンドイッチ１ａの側面５，６と対向するフィルムの対向部位５２は側面５，６に沿うように折り曲げられ、サンドイッチ１ａの各短辺５ａに接して折り重ねた状態に延びるフィルム５０の側方延出部５３が、短辺５ａ，６ａを基準として、側面５，６に向かって折り曲げられる。更に、図示の状態から、サンドイッチ１ａの側面５，６と底面２との交差する辺７，８から外方に延出するフィルム５０の少なくとも一方の下方延出部５４，５４（一方のみ図示）が辺７，８に対応した線を基準として側面６に沿って折り上げられ、下方延出部は既に折り曲げられている側方延出部５３上に接着テープによって貼着される。なお、フィルムの部位５２と下方延出部５４とは、側方延出部５３の折曲げ前に溶着による仮シール５６で仮止めされ、側方延出部５３の折曲げ後に、密封用のシールが施される。
【０００８】
更に、上記のサンドイッチ包装体６０において、サンドイッチ１ａの開封の容易化を図るため、フィルム５０の対向部位５２と下方延出部５４とを溶着して形成された密封用シールの外側にＶ字状の開封用の切込み５５が形成される。サンドイッチ包装体６０を開封するときには、切込み５５を起こして形成した摘み片を摘んでフィルム５０を引き裂くと、サンドイッチ１ａの底面２（包装体６０の製造に際して底面となっていた最も広い面）に沿って包装体６０を開封することができる。
【０００９】
しかしながら、上記サンドイッチ包装体においては、三角柱状物の各表面に表れる包装フィルムは、必ずしも襞部分のない、平坦なフィルム面とはなっていない。即ち、山形状の置かれたサンドイッチの傾斜した両側面を筒状包装フィルムで覆う場合には、先にサンドイッチの両側面に沿ったフィルム面を形成し、そのときに生じる両脇の折重ねられて形成された側方延出部を、両側面に沿ったフィルム面上に折り返している。従って、両側面上では、側方延出部を折り返したときに襞部分が表面側に表れる。この包装態様では、両側面は店頭での陳列状態では裏側又は底側の面になるが、側方延出部が必ずしも折り目を明確にして折り返されず、スマートな包装体とならない。また、包装体の内部までは侵入しないとしても、僅かに開いた折重ね部の襞の中に、冷蔵庫中での水蒸気の凝結や、小さな虫、塵填等の異物が入り込み易く、消費者が手に取って見たときに異物が商品価値が低下する虞がある。包装体の製造、即ち、当然のことながら、サンドイッチの包装方法についても、そうした配慮はなされていない。
【００１０】
更に、上記のサンドイッチ包装体では、開封用切込み等が底面（三角柱の斜面）に相当する包装フィルムの延長部分に形成されているので、開封用切込みに従って開封するとき、フィルムの引裂きは三角柱の斜面に沿った包装フィルム上で行われることになる。従って、サンドイッチを斜面部側から、即ち、食パンに挟まれた具が表に表れており且つ具のために厚みが増した側から取り出さなくてはならず、包装体からのサンドイッチの取出しが困難になる。特に、具が卵やペースト、タレ等を含む場合、手を汚さずにサンドイッチを取り出すのが難しい。
【００１１】
【発明が解決しようとする課題】
そこで、三角柱状物を取り囲む筒状包装シートを折り込んで、三角柱状物を包装した包装体及び包装方法において、折重ね部を折り返したときに生じるような襞を三角柱状物の各表面を覆う包装シートに形成することなく、いずれの各表面を覆う包装シートの部分も表面が平坦な状態とする点で解決すべき課題がある。
【００１２】
この発明の目的は、上記課題を解決することであり、筒状包装シートを折り込んでの三角柱状物の包装において、三角柱状物のいずれの面を覆う包装シートの部分も表面が平坦な状態とすることにより、三角柱状物の包装シートに襞を形成することを回避して、外部から液体、小さい虫、塵挨等の異物が包装シートの襞内に侵入するのを防止することができる三角柱状物を包装した包装体及び包装方法を提供することである。
【００１３】
【課題を解決するための手段】
この発明は、上記の目的を解決するため、以下のように構成されている。即ち、この発明による三角柱状物の包装体は、三角柱状物と、前記三角柱状物の斜面に沿う斜面部及び一対の底面にそれぞれ沿う一対の底面部を有して前記三角柱状物の周囲を覆う筒状包装シートとから成り、前記三角柱状物の前記斜面と前記各底面とに連なる二つの側面のそれぞれに対応した前記筒状包装シートの各余剰部が、両側方より当該側面に沿って折り込んだガゼット部と、前記ガゼット部に接続する山折りの折り返し線を前記底面と前記側面との間の稜線に沿って置いて前記ガゼット部を覆う表面側に置かれた側面部とに成形され、前記斜面部の延長部分と前記側面部の延長部分とが前記斜面と前記側面との間の稜線に沿って互いにシールされて前記三角柱状物を密封包装したことから成っている。
【００１４】
この三角柱状物の包装体によれば、三角柱状物の各側面に対応した筒状包装シートの各余剰部が、一部は、両側方より側面に沿って折り込んだガゼット部とされ、残る部分が両ガゼット部に接続すると共に山折りの折り返し線を底面と側面との間の稜線に沿って置いてガゼット部を覆う表面側に置かれた側面部とに成形され、更に、斜面部の三角柱状物からはみ出す延長部分と、側面部の三角柱状物からはみ出す延長部分とが斜面と側面との間の稜線に沿って互いにシールされて三角柱状物を密封包装しているので、筒状包装シートは、外側から見た状態では、三角柱状物の５つの面に沿う部分ではすべて平坦な面で覆われている。両ガゼット部と両側面部との間の山折りの折り返し線は、両底面と各側面との稜線に対応して現れるのみであり、事実上、外観に影響はない。従って、三角柱状物の包装体は、５つの面内において外側に現れる山折り線や襞等の凹凸が実質的に無くなり、見栄えが良くなって、商品として陳列されるとき、或いは消費者が手に取ってみた時の感触が良化する。
【００１５】
また、この発明による三角柱状物の包装方法は、三角柱状物を前記三角柱状物の斜面に接する斜面部と一対の底面にそれぞれ接する底面部とを有する筒状包装シートで覆い、前記三角柱状物の前記斜面と前記各底面とに連なる二つの側面のそれぞれに対応した前記筒状包装シートの各余剰部を、両側方より当該側面に沿って折り込んだガゼット部と、前記ガゼット部に接続する山折りの折り返し線を前記底面と前記側面との間の稜線に沿って置いて前記ガゼット部を覆う表面側に置かれた側面部とに成形し、前記斜面部の延長部分と前記側面部の延長部分とを前記斜面と前記側面との間の稜線に沿って互いにシールして前記三角柱状物を密封包装することから成っている。
【００１６】
この三角柱状物の包装方法によれば、筒状包装フィルムで取り囲んだ状態においては、三角柱状物の斜面と両底面とは筒状包装フィルムで覆われる。この段階では、三角柱状物の斜面と両底面とに稜線を介して接続する両側面を覆わない筒状包装フィルムの部分は、余剰部として残されている。余剰部は、先ず両側方より当該側面に沿って折り込まれて、両側面上に折り込まれるガゼット部が形成され、残る部分がガゼット部に接続する山折りの折り返し線を底面と側面との間の稜線に沿って置いてガゼット部を覆う表面側に置かれた側面部となり、斜面部の延長部分と側面部の延長部分とが斜面と側面との間の稜線に沿って互いにシールされる。その結果、三角柱状物のすべての面を襞が外側に出ることなく平坦な面の包装フィルムで覆われる。
【００１７】
この三角柱状物の包装体及び包装方法において、前記ガゼット部は、前記両側面が互いに交差する稜線側から前記各側面が前記斜面と交差する稜線に向かう程、前記筒状包装シートの前記各余剰部を深く折り込んで形成することが好ましい。筒状包装シートの各余剰部を次第に深い折込みにより、両側面に沿って包装シートを弛みなく折ることができ、三角柱状物の周りに包装シートをタイトに包装して、スマートな三角柱状物の包装体を得ることが可能である。
【００１８】
この三角柱状物の包装体及び包装方法において、切込み、ノッチ等の易開封用手段が、前記斜面部の延長部分、又は矩形包装シートを丸めてセンターシールを施して前記筒状包装シートを形成するときの前記センターシールに形成することができる。斜面部の延長部分に形成した切込み、ノッチ等の易開封用手段によって包装シートを引き裂くことで、包装体を斜面部において開封することができる。また、三角柱状物がサンドイッチのような食品である場合には、包装体においては、食パンに挟まれた具が斜面側に見えるように置かれて斜面側の厚みが膨らんでいるので、斜面部に位置する包装シートの部分を引き裂いても、手を具に触れないように三角柱状物を取り出すのは困難である。しかしながら、センターシールに形成した切込み、ノッチ等の易開封用手段を用いて包装体を側面部において開封することにより、具に手を触れることなく、厚みが膨らんでいない側を挟んで包装シートから引き出すことが容易になる。筒状シートに三角柱状物を載置したときに、既に、又はその直後に、側面部の延長部分となる部位に切込み、ノッチ等の易開封用手段を形成することができる。また、センターシールを係止するときに、切込み、ノッチ等の易開封用手段を形成することにより、そうしたした易開封用手段を用いて包装体を側面部において開封するときに、具に手を触れることなく包装シートから引き出すことが容易になる。
【００１９】
この三角柱状物の包装体及び包装方法において、前記三角柱状物は、サンドイッチ等の食品とすることができる。サンドイッチ以外のものとしては、蒸しパンや、はんぺん、厚揚げ等が考えられるが、これらに限らず、三角柱状物であれば、どのようなものにも適用可能である。
【００２０】
【発明の実施の形態】
以下、添付図面を参照しつつ、この発明の実施例を説明する。図１はこの発明による三角柱状物の包装方法による包装工程の折込み工程までを段階的に示す斜視図、図２は図１に示す包装工程の後の密封から包装完了までの工程を段階的に示す図、図３はこの発明による完成した三角柱状物の包装体を示す斜視図、図４はこの発明による三角柱状物の包装体の開封の様子を示す斜視図である。三角柱状物は、図５に示したものと同様でよく、再度の説明を省略する。
【００２１】
図１に示す三角柱状物の包装方法による包装工程については、（ａ）が筒状包装フィルム内に三角柱状物を置いた状態を示す図、（ｂ）が余剰部の折込み工程を示す図，及び（ｃ）が要部を拡大して示す斜視図である。図１（ａ）に示すように、三角柱状物１は、斜面２を下にした状態で筒状包装フィルム１０の内部に置かれる。筒状包装シート１０は、三角柱状物１の大きさに応じて予め筒状に形成した継ぎ目なしのものであってもよいが、三角柱状物１の大きさに合わせて変更を容易にするため、矩形の包装シートをセンターシール１１を施して筒状に成形する方が好ましい。筒状包装シート１０については、ヒートシールによって内部を密封可能となるように、少なくとも内側面が熱溶着性である合成樹脂製のフィルムが用いられる。三角柱状物１がサンドイッチである場合、具Ａが筒状包装シート１０に付着するので、三角柱状物１を載置するときに、三角柱状物１と筒状包装シート１０との間に予め具当てシート１９を斜面２に当てておくか、又は具当てシート１９を置いた筒状包装シート１０に三角柱状物１を載置する。
【００２２】
三角柱状物１を筒状包装シート１０内に載置した状態では、三角柱状物１の斜面２は筒状包装シート１０の斜面部１２で覆われ、底面３，４もそれぞれ筒状包装シート１０の互いに平行となった底面部１３，１４で覆われている。斜面部１２及び底面部１３，１４以外の筒状包装シート１０の部分、即ち、側面の５，６それぞれに対応した部分は、図１（ａ）の段階では余剰部１５，１５となっている。三角柱状物１は筒状包装シート１０内において長手方向の中央位置に置かれるので、斜面部１２の各端に接続して三角柱状物１からはみ出る延長部分１６，１６は長手方向に略同じ長さで延びている。なお、図１（ａ）の段階で、各延長部分１６には、予め、斜面部１２に向かって筒状包装シート１０を引き裂くための開封用ノッチ１７が形成されている。また、センターシール１１にも、筒状包装シート１０の端縁から僅かに内寄りの位置に、開封用のノッチ１８が形成されている。
【００２３】
次に、図１（ｂ）に示すように、各余剰部１５は、各余剰部１５に対して両側方から側面５（又は６）に沿って進退する一対の折込み板３０によってガゼット状に折り込まれる。各折込み板３０は、概して、三角柱状物１の側面５に平行に延びる斜板部３１と、斜板部３１の下端側に一体的に接続する平板部３２とから成っている。平板部３２は、斜板部３１から屈曲して接続し、斜面２と平行に延びている。余剰部１５は稜線９側よりも稜線７側で多く存在しているので、折込み板３０による折込み量は稜線７側ほど多くなる。平板部３２の前縁３３は、この折込み量の多少に応じて、稜線７側ほど前方に進出した形状を有している。以下の折込み等の工程は、三角柱状物１の側面６についても側面５の場合と同様であるので、側面５についてのみ説明する。
【００２４】
図１（ｃ）に示すように、一対の折込み板３０，３０が進出して筒状包装シート１０の余剰部１５，１５を折り込むとき、平板部３２，３２の前縁３３，３３が下側の一部が互いに重なる位置まで進出する。それに応じて、余剰部１５，１５からガゼット部２０，２０形成される。ガゼット部２０，２０は、側面５上で一部が重なる。各ガゼット部２０の最深折込み点２１は、稜線７を越えて、延長部分１６上に位置している。折込み板３０，３０による折込みに従って、延長部分１６も両サイドが折られて斜めの折返し線２２を形成し、全体として台形の形状になる。開封ノッチ１７が形成されている部分は重ねられず、一枚フィルム状態となって、ノッチ１７が摘み易くなっている。なお、この段階では両ガゼット部２０，２０の繋ぎ部分２３は、稜線７を越え延びる長さを備えているが、まだ弛んだ部分として残されている。折込み板３０，３０による折込みによってガゼット部２０，２０が形成されると、ガゼット部２０，２０に接続される山折りの折り返し線４１は三角柱状物１の底面１３，１４と側面５，６との間の稜線４０，４０に沿う線となる。
【００２５】
次に、図２（ａ）に示すように、一対のヒータブロック３６，３６から成るヒートシーラ３５が作動し、筒状包装シート１０の開口部をヒートシールする。即ち、一対のヒータブロック３６，３６が、稜線７の僅かに外側の位置において、延長部分１６、ガゼット部２０，２０及び両ガゼット部２０，２０を繋ぎ部分２３を重ね合わせた状態で挟み込み、熱溶着してヒートシールをする。このヒートシールによって、三角柱状物１は、密封された状態で包装される。両ガゼット部２０，２０の折り返し線４１，４１（図１（ｃ））で折り返された繋ぎ部分２３は、平坦な側面部２５として側面５上のガゼット部２０，２０を覆う（側面６については側面部２６となる）。このとき、折り返し線４１，４１は稜線４０，４０（図１（ｃ））に対応して延びる。底面部１３，１４と側面部２５，２６との間には、折込みに伴って不連続な溝２７，２８が形成されるが、側縁部分に開口するだけであり、且つ包装体の内部には通じない溝であるので、衛生上は問題ない。
【００２６】
図２（ｂ）は、（ａ）に示す包装工程でヒートシールが終了した中間包装体の一方の延長部分（この例の場合、延長部分６）の側面部（この例の場合、側面部２６）側への折返しを示している。（ｃ）に示すように、延長部分１６はポイントシール２９にて、側面部２６に溶着される。延長部分１６は、折り返されることなくそのままの状態であり、製品の表示や印刷面として利用される。
【００２７】
完成した三角柱状物の包装体Ｐが、図３に示されている。図３に示す状態は、商品としての陳列状態を示す図であり、折り返してポイントシール２９が施された一方の延長部分１６を下にして、斜面部１２が前面に向けられている。他方の延長部分１６は、上端に位置しており、印刷面として、及び商品の取出しの際に摘んで引き上げるのに利用される。この包装体Ｐによれば、三角柱状物１のどの面も、それに沿った平坦な面を持つ包装材もで覆われ、薄いや虫は入り込みやすい折込みの溝や凹凸が表面側に表れることがない。
【００２８】
一方の延長部分１６に形成される開封ノッチ１７を摘んで包装体Ｐの包材を引き裂くときには、包材の斜面部１２を引き裂くことになる。また、センターシール１１に形成される開封ノッチ１８を摘んで包装体Ｐの包材を引き裂くときには、包材のセンターシール１１から側面部２６を引き裂くことになる。図４は、開封ノッチ１８から側面部２６を開封するときによる包装体Ｐの開封の様子を示す斜視図である。このとき、サンドイッチの取出しは、サンドイッチの具Ａが通常表れない側である側面５側から行うことができるので、指にサンドイッチの具Ａ（図５参照）が触れず、衛生上も優れている。
【００２９】
【発明の効果】
この発明は、上記のように構成されているので、次のような効果を奏する。即ち、この発明による三角柱状物の包装体及び包装方法によれば、三角柱状物の各側面に対応した筒状包装シートの各余剰部が、一部は、両側方より折り込んだガゼット部とされ、残る部分が両ガゼット部に接続すると共に各側面に沿って表面側に置かれた側面部とに成形され、更に、斜面部の延長部分と側面部の延長部分とが互いにシールされて三角柱状物を密封包装しているので、筒状包装シートによって、外側から見た状態では、三角柱状物の５つのどの面についてもその面に沿った平坦な面で覆うことができ、面上には凹凸等の襞が存在しない。従って、外観がスマートで清潔感に優れ、手に取って見たときも感触が良好である。また、水分や異物が侵入しづらい構造となり、取り扱いも便利である。
【図面の簡単な説明】
【図１】この発明による三角柱状物の包装方法による包装工程の折込み工程までを示す斜視図である。
【図２】図１に示す包装工程の後の密封から包装完了までの工程を示す斜視図である。
【図３】この発明による完成した三角柱状物の包装体を示す斜視図である。
【図４】この発明による三角柱状物の包装体の開封の様子を示す斜視図である。
【図５】包装物としての三角柱状物を示す斜視図である。
【図６】従来のサンドイッチの包装の一例を示す斜視図である。
【図７】従来の専用袋によるサンドイッチの包装の一例を示す斜視図である。
【符号の説明】
１  三角柱状物                    ２  斜面
３，４  三角形状の底面            ５，６  側面
７，８，９  稜線
１０  筒状包装シート              １１  センターシール
１２  斜面部                      １３，１４  底面部
１５  余剰部                      １６  延長部分
１７，１８  開封用ノッチ          １９  具当てシート
２０  ガゼット部                  ２１  最深折込み点
２２  折返し線                    ２３  繋ぎ部分
２５，２６  側面部                ２７，２８  溝
２９  ポイントシール
３０  折込み板                    ３１  斜板部
３２  平板部                      ３３  前縁
３５  ヒートシーラ                ３６  ヒータブロック
【図１】
0004336081.tif 000002
【図２】
0004336081.tif 000003
【図３】
0004336081.tif 000004
【図４】
0004336081.tif 000005
【図５】
0004336081.tif 000006
【図６】
0004336081.tif 000007
【図７】
0004336081.tif 000008